(57)【特許請求の範囲】
【請求項１】
細棒状の骨材からなり、その基端が中棒上端に固定された上ロクロに枢支される元親骨と、
細棒状の骨材からなり、その基端が中棒に対して摺動自在な下ロクロに枢支されるとともに、元親骨に回動自在に連結される受け骨と、
細棒状の骨材からなり、その基端が受け骨の延長方向途上に回動自在に連結されるとともに、先端が元親骨の先端に首振り動作可能に取り付けられたダボ部材に回動自在に連結されて、下ロクロの上下摺動により展開・集束する受け骨に連動して親骨を屈伸させるためのリンク機構を形成する下連棹と、
を備えた折畳式傘であって、
前記元親骨と前記受け骨は、開傘状態において、中棒から放射状に延長する扁平棒状であるとともに、当該扁平棒状の幅広面が傘布に対して直交し、
前記受け骨は、先端側の幅広面が親骨側に向かって所定方向に屈曲しつつ元親骨に沿って平行となるように略クランク状に屈曲し、当該先端が元親骨に直接回動自在に連結されることで、閉傘状態において、元親骨と間隙を有してほぼ平行に集束し、
前記下連棹は、基端が鉤状に屈曲し、当該基端が受け骨に穿設された孔に前記親骨側から挿通されて受け骨と連結することで、閉傘状態では前記間隙に嵌入しつつ元親骨と受け骨に沿って集束する
ことを特徴とする折畳式傘。
【請求項２】
先端が中親骨の先端に回動自在に連結されるとともに、当該中親骨に遊動可能に係止されて、前記元親骨の屈伸動作によって前記中親骨にスプリングアクションを与えるために架橋装設された細線状のワイヤバネを備え、
当該ワイヤバネは、基端が鉤状に屈曲して前記元親骨の先端側に穿設された孔に回動自在に係止されることで架橋装設され、
前記中親骨は、細線状のワイヤ材からなり、基端が、略クランク状に屈曲しながら前記ダボ部材に回動自在に連結され、
前記中親骨の基端が前記受け骨先端の屈曲方向と逆方向に屈曲しているとともに、前記ワイヤバネの基端が開傘状態において前記下連棹の基端と同方向に鉤状に屈曲するように構成されていることで、閉傘状態では、前記中親骨が元親骨に対して前記受け骨と反対側に間隙を有して平行に集束するとともに、前記ワイヤバネが前記元親骨と前記中親骨に沿いつつ、前記中親骨と前記元親骨との前記間隙に陥入するように集束する、
ことを特徴とする請求項１に記載の折畳式傘。
【発明の詳細な説明】
【技術分野】
【０００１】
この発明は折畳式傘に関し、たとえば３分割の親骨を備えた三つ折り式の折畳式傘に適用して有効なものに関する。
【背景技術】
【０００２】
この種の折畳式傘では、傘としての機能を維持しつつ、折畳時の携帯性（携帯の便宜性）を高めることが最大の課題となっている。たとえば、カバンや書類ケースなどに収容して携帯するためには、折畳時の形状をできるだけ細くすることが望ましい。そして、以下の特許文献１には、３分割される親骨の各屈曲部の位置を最適化することで、折畳時の細径化を達成した折畳式傘について記載されている。
【０００３】
以下、前記特許文献１に記載された折畳式傘を従来例とし、当該従来例における折畳傘の概略構造を図６に示した。折畳式傘１ｂの骨格を構成する骨材やワイヤ状線材は、開傘状態において、中棒３側の端部を「基端」とし、露先４側の端部を「先端」とし、当該折畳式傘１ｂは、伸縮式中棒３の上部に固定された上ロクロ２と、この上ロクロ２に基端２６ｂが枢支される元親骨２０ｂを含む折り畳み自在な親骨（２０ｂ，７０ｂ，８０ｂ）と、上ロクロ２の下方にて中棒３に摺動自在に案内される下ロクロ１０と、この下ロクロ１０に基端３８ｂが枢支されて上記元親骨２０ｂを支承する受け骨３０ｂと、親骨（２０ｂ，７０ｂ，８０ｂ）を下ロクロ１０の上下移動に連動して屈伸させるためのリンク機構を形成する下連棹（控え棒）４０ｂとを備えている。
【０００４】
下連棹４０ｂは、ワイヤ状の細棒で形成され、その先端４２ｂ側が、元親骨２０ｂの先端２４ｂに回動自在に取り付けられているダボ部材５０ｂに回動自在に連結されている。また、基端４１ｂ側はループ状に屈曲されており、このループが受け骨３０ｂの途上に取り付けられた鳩目３６ｂに回動自在となるように巻回されている。
【０００５】
また、元親骨２０ｂの屈伸動作にスプリングアクションを与えるためのワイヤバネ６０ｂが中親骨７０ｂに並行して架橋装設されている。ワイヤバネ６０ｂは、図６における円９０内を部分的に拡大して示したように、中間部に中親骨７０ｂに回り込むループ部６１を折曲形成することにより、中親骨７０ｂ側に係止部を設けたり、係止のための部品を別途設けたりすることなく、ワイヤバネ６０ｂの中間部を中親骨７０ｂの中間部に遊動可能に係止させることができるようになっている。そして、ワイヤバネ６０ｂの基端６２ｂは、鉤状に屈曲され、その基端６２ｂが元親骨２０ｂに穿設されている孔２５ｂに挿通されている。また、ワイヤバネ６０ｂの先端６３ｂ、および中親骨７０ｂの先端７４ｂは、先親骨８０ｂの基端に延長して取り付けてあるダボ部材５３ｂに回動自在に取り付けられている。
【０００６】
なお特許文献１に記載された折畳式傘１ｂは、３分割される親骨の各屈曲点の位置を最適化し、傘１ｂを折り畳んだ際に、中親骨７０ｂと先親骨８０ｂを連結するダボ部材５３ｂが上ロクロ２の下側に位置するようにするとともに、中親骨７０ｂと元親骨２０ｂを連結するダボ部材５０ｂが下ロクロ１０の上側に位置するようにして、折り畳み時にこれらのダボ部材（５３ｂ、５０ｂ）が、それぞれ上下のロクロ（２，１０）に干渉しないようにして細径化を達成している。
【特許文献１】特開２００７−１４３６３６号公報
【発明の開示】
【発明が解決しようとする課題】
【０００７】
しかしながら、上記特許文献に示した折畳式傘では、直線棒状の元親骨と受け骨が直接連結された構造であり、折り畳んだ状態では、下連棹が直線棒状の元親骨と受け骨との間に挟持されることになる。そのため、下連棹の基端側が元親骨と受け骨の連結点近傍でこれらの骨材に干渉し、元親骨と受け骨が当該連結点から基端に向かって徐々に離間していくように強制される。一方、元親骨と受け骨の基端は、それぞれ、上ロクロと下ロクロに枢支されているため、元親骨と受け骨は中央部で大きく離間するように撓みつつ、ロクロに向かって双方の間隔を縮めながら集束する。そして、傘を折り畳んだとき、連結関係にある全ての元親骨と受け骨における撓みの部分の間隔が累積される。したがって、細径化には限界がある。
【０００８】
確かに、上記特許文献１には、受け骨にＵ字溝状の骨材を用い、折り畳み時に下連棹の先端側がこのＵ字溝に陥入する構成について記載されている。しかし、下連棹を陥入させるためには、Ｕ字溝の幅と深さを十分に確保しなくてはならない。したがって、骨材自体が太くなる。骨材の板厚を薄くすることも考えられるが、特に、ロクロに枢支される元親骨と受け骨は、傘を展開したときに、その開傘形状を維持するため、中親骨や先親骨より高い強度が必要となり、板厚を不用意に薄くすることはできない。したがって、折畳式傘の折り畳みサイズをさらに細径化することは困難であった。
【０００９】
本発明は、上記課題に鑑みなされたもので、その目的は、強度を確保しつつ、さらに細く折り畳めるようにした折畳式傘を提供することを目的としている。
【課題を解決するための手段】
【００１０】
親骨全体の基端側に位置する元親骨、およびその元親骨を支承する受け骨は、折畳式傘の骨格を構成する部材の中で最も強度を要求される。本発明者らは、まず、折畳式傘において、開傘時の強度を確保する上でも最も重要なこれらの骨材が傘布を介して受ける力の方向について考察した。そして、元親骨や受け骨が折れたり曲がったりするのは、主に、傘布の展開面に対して外側から垂直に加わる力によるものであることに着目した。そこで、元親骨や受け骨を構成する骨材を展開中の傘布に対して直交する方向に厚みがある形状とすれば強度を確保できると考えた。もちろん、単純に密な太い骨材を使えば細経化は困難である。また、折りたたんだ際に、下連棹やワイヤバネが元親骨を含む親骨全体、および受け骨に干渉するような構造も細径化を阻害する。本発明は、このような考察に基づいて創作されたものである。
【００１１】
本発明は、細棒状の骨材からなり、その基端が中棒上端に固定された上ロクロに枢支される元親骨と、
細棒状の骨材からなり、その基端が中棒に対して摺動自在な下ロクロに枢支されるとともに、元親骨に回動自在に連結される受け骨と、
細棒状の骨材からなり、その基端が受け骨の延長方向途上に回動自在に連結されるとともに、先端が元親骨の先端に首振り動作可能に取り付けられたダボ部材に回動自在に連結されて、下ロクロの上下摺動により展開・集束する受け骨に連動して親骨を屈伸させるためのリンク機構を形成する下連棹と、
を備えた折畳式傘であって、
前記元親骨と前記受け骨は、開傘状態において、中棒から放射状に延長する扁平棒状であるとともに、当該扁平棒状の幅広面が傘布に対して直交し、
前記受け骨は、先端側の幅広面が親骨側に向かって所定方向に屈曲しつつ元親骨に沿って平行となるように略クランク状に屈曲し、当該先端が元親骨に直接回動自在に連結されることで、閉傘状態において、元親骨と間隙を有してほぼ平行に集束し、
前記下連棹は、基端が鉤状に屈曲し、当該基端が受け骨に穿設された孔に前記親骨側から挿通されて受け骨と連結することで、閉傘状態では前記間隙に嵌入しつつ元親骨と受け骨に沿って集束する折畳式傘としている。
【００１２】
また、先端が中親骨の先端に回動自在に連結されるとともに、当該中親骨に遊動可能に係止されて、前記元親骨の屈伸動作によって前記中親骨にスプリングアクションを与えるために架橋装設された細線状のワイヤバネを備え、
当該ワイヤバネは、基端が鉤状に屈曲して前記元親骨の先端側に穿設された孔に回動自在に係止されることで架橋装設され、
前記中親骨は、細線状のワイヤ材からなり、基端が、略クランク状に屈曲しながら前記ダボ部材に回動自在に連結され、
前記中親骨の基端が前記受け骨先端の屈曲方向と逆方向に屈曲しているとともに、前記ワイヤバネの基端が開傘状態において前記下連棹の基端と同方向に鉤状に屈曲するように構成されていることで、閉傘状態では、前記中親骨が元親骨に対して前記受け骨と反対側に間隙を有して平行に集束するとともに、前記ワイヤバネが前記元親骨と前記中親骨に沿いつつ、前記中親骨と前記元親骨との前記間隙に陥入するように集束する、
ことを特徴とする折畳式傘とすることもできる。
【発明の効果】
【００１３】
本発明の折畳式傘によれば、元親骨と受け骨を展開時の傘布に対して幅広面が直交するように延長する扁平棒状とし、かつ、受け骨の先端を親骨側に略クランク状に屈曲させているとともに、下連棹の基端を親骨側から受け骨側に向かうように鉤状に形成し、扁平棒状の受け骨に穿設された孔にその鉤状の基端を挿通させている。そのため、開傘時の強度を確保しつつ、閉傘時には、下連棹の基端が親骨や受け骨に干渉せず、かつ、親骨と受け骨に沿って集束するため、折り畳み形状の細径化が達成できる。
【発明を実施するための最良の形態】
【００１４】
＝＝＝基本構造＝＝＝
図１に、本発明の実施例における折畳式傘１の概略構造を示した。この図では、開傘状態における折畳式傘１の骨格を斜視図によって示している。当該折畳式傘１は、下ロクロ１０の下端がハジキ５によって下方への摺動が禁止されて開傘状態が維持されている。この図に示すように、折畳式傘１の基本構造は、図６に示した折畳式傘１ｂと同様に、ヒンジ連結してなる３本の親骨（元親骨２０，中親骨７０，先親骨８０）からなる３つ折式親骨を用いて構成されている。しかし、本発明の折畳式傘１は、元親骨２０、受け骨３０、下連棹４０の連結構造や形状を工夫することで、強度を確保した上で、折り畳み時のサイズを極めて細くすることに成功している。
【００１５】
＝＝＝骨材形状・連結構造＝＝＝
図２に、本実施例の折畳式傘１における骨材やワイヤ状線材（ワイヤ材）の相互の連結構造を示した。（Ａ）は、開傘途上あるいは閉傘途上における連結構造であり、（Ｂ）は、開傘状態における連結構造である。なお（Ｂ）には傘布６も含まれている。また、図３と図４に、図２（Ｂ）に楕円領域１００で示した要部の拡大図を示した。図３は、図２（Ｂ）における矢印ａにて示した方向から見た図であり、図４は斜視図である。
【００１６】
元親骨２０と受け骨３０は、扁平棒状の骨材で構成され、元親骨２０における幅広面２１と受け骨３０の幅広面３１とは、図３に示すように、僅かな間隙ｔ１を有してほぼ平行となるように相互に連結されている。扁平棒状の元親骨２０は、開傘状態において、中棒３から放射外方向に延長するとともに、傘布６に対して直交する方向１１０に幅広となっている。すなわち、開傘状態では、扁平棒状の元親骨２０の狭小な面（縁辺）２２側が傘布の面と平行となるように延長している。
【００１７】
具体的には、図３の円１２０内に示した元親骨２０と受け骨３０との連結構造のように、受け骨３０の先端３２が元親骨２０側に略クランク状に屈曲し、受け骨３０は、その略クランク状の先端平坦部３３にて元親骨２０に穿設された孔２３にリベット３４などによって回動可能に取り付けられている。それによって、対面している元親骨２０と受け骨３０のそれぞれの幅広面（２１，３１）には間隙ｔ１が生じる。なお、各受け骨３０は、連結される親骨２０に対して全て同じ方向に屈曲している。
【００１８】
元親骨２０の先端２４には、コの字型断面形状をなすダボ部材（以下、中間ブラケット）５０が、リベット５１などにより首振り動作可能に軸支されている。また、ワイヤ材からなる中親骨７０は、その基端７１がループ状に屈曲され、当該ループ状基端７１も前記中間ブラケット５０における首振り動作の軸５１に軸支されている。それによって中親骨７０が回動可能となっている。
【００１９】
下連棹４０は、ワイヤ材によって構成され、その基端４１は、鉤状に屈曲している。受け骨３０には、略クランク状の先端３２の折れ曲がりの基点３５側よりやや中棒３側に孔３６が穿設されており、下連棹４０の鉤状の基端４１はこの孔３６に引っ掛けられている。ところで、従来のＵ字溝状の骨材では、その溝の側壁に直接孔を穿設すると、この部分の強度が極度に不足し、骨材の曲がりや折れは、この孔の部分で発生しやすいことが知られているが、本実施例では、扁平棒状の受け骨３０の厚さがＵ字溝の幅より薄ければ折り畳みサイズの細径化が可能であり、Ｕ字溝の骨材の板厚と比較すれば、かなり厚くすることが可能である。そのため、扁平棒状の骨材は、十分な強度を保ったまま直接他の骨材やワイヤ材と連結することができるのである。
【００２０】
下連棹４０の先端４２は、ループ状に屈曲し、そのループ状の先端４２が中間ブラケット５０における首振り動作の軸５１がある端部とは反対側の端部にてリベット５２などにより回動自在に軸支されている。なお、本実施例においても、従来例１ｂと同様に、ワイヤバネ６０が中間のループ部６１により、中親骨７０に遊動可能に係止されている。ワイヤバネの基端６２も、下連棹４０の基端４１と同様に鉤状に屈曲し、この基端６２が元親骨２０に穿設されている孔２５に挿通されてワイヤバネ６０と元親骨２０とが連結されている。また本実施例では、中親骨７０の基端７１側に略クランク状に屈曲する部分（略クランク部７３）が形成され、当該略クランク部７３の屈曲方向は、受け骨３０における略クランク状の先端３２の屈曲方向とは反対方向となっており、受け骨３０と中親骨７０は、図５（Ａ）に示すように、親骨２０に対して間隙（ｔ１，ｔ２）を有しつつ対称となるように配置されているとともに、ワイヤバネ６０の鉤状の基端６２は、下連棹４０のフック部４２と同方向に屈曲している。
【００２１】
なお、先親骨８０、中親骨７０、ワイヤバネ６０の連結構造は、図６に示した従来の傘１ｂにおける連結構造とほぼ同様である。本実施例ではこれらの骨材やワイヤ材の連結に介在するダボ部材５３の形状が中間ブラケット５０と同様の形状である、という点だけが従来例とは異なっている。
【００２２】
＝＝＝集束機構＝＝＝
図５に、相互に連結している骨材やワイヤ材の閉傘時における集束状態を示した。この図では、一つの元親骨２０について、互いに連結関係にある骨材やワイヤ材の集束状態が示されており、（Ａ）は、扁平棒状の親骨２０や受け骨３０を縁辺（２２，３７）側から見たときの集束状態であり、（Ｂ）は、扁平面（２１，３１）側から見たときの集束状態を示している。図中では、各骨材やワイヤ材の種別に応じてハッチングを変えて示している。なお、本実施例においても、従来例の傘１ｂと同様に、閉傘状態における親骨（２０，７０，８０）の屈曲点を上ロクロ２と下ロクロ１０の間に配置させることで、折り畳み時の細径化を図っている。その上で、本実施例では、上ロクロ２に直接枢支されて傘布６からの力を最も受ける元親骨２０を、図２（Ｂ）に示した開傘時における傘布６に直交する方向（図１：符号１１０）、すなわち、元親骨２０が最も折れたり曲がったりし易い力の方向が幅広面２１となる扁平棒状の骨材で構成し、受け骨３０についても扁平棒状とすることで、元親骨２０や受け骨３０の強度を確保しつつ、さらなる細径化を図っている。
【００２３】
加えて、本実施例の折畳式傘１では、閉傘時において連結関係にある骨材やワイヤ材が相互に干渉しないように、骨材やワイヤ材の形状や連結構造をも工夫し、折り畳みサイズを極めて細くすることに成功している。
【００２４】
具対的には、受け骨３０の先端３２を略クランク状に屈曲させて元親骨２０と受け骨３０と間に間隙ｔ１を設けるとともに、下連棹４０の鉤状基端４１をこの間隙ｔ１側から受け骨２０の孔３６に挿通させている。それによって、集束時に下連棹４０における鉤状の基端４１による厚みがこの間隙ｔ１で吸収される。そして、下連棹４０が受け骨３０の幅広面３１に沿うように集束する。もし、受け骨３０の先端３４が略クランク状に屈曲していなければ、集束時に受け骨３０の先端３４側にて下連棹４０の鉤状の基端４１が受け骨３０と元親骨とに挟持されることで干渉し、元親骨２０と受け骨３０がこの干渉部を起点にして基端（２６，３８）に向けて末広がりとなってしまう。元親骨２０と受け骨３０のそれぞれの基端（２６，３８）は、それぞれ上下のロクロ（２，１０）に枢支されているので、元親骨２０と受け骨３０の中央部が互いに離間するように撓んで膨らみ、折り畳み時の細径化を阻害してしまう。
【００２５】
また、本実施例では、中親骨７０の基端７１側にも親骨方向に屈曲する略クランク部７３が形成されている。それによって、中親骨４０が元親骨の２０幅広面と若干の間隙ｔ２をもって幅広面に沿って集束する。そして、ワイヤバネ６０の鉤状の基端６２の厚さがこの間隙ｔ２によって吸収されるとともに、ワイヤバネ６０が中親骨７０と元親骨２０の幅広面２１とに沿うように集束する。そのため、折り畳み時のさらなる細径化に成功している。
【図面の簡単な説明】
【００２６】
【図１】本発明の実施例における折畳式傘の骨格構造を示す図である。
【図２】上記折畳式傘における骨材やワイヤ材の連結構造を示す図である。
【図３】上記折畳式傘の要部を拡大した平面図である。
【図４】上記要部を拡大した斜視図である。
【図５】上記折畳式傘を閉じたときの骨材やワイヤ材の集束状態を示す図である。
【図６】従来の折畳式傘における骨材やワイヤ材の連結構造を示す図である。
【符号の説明】
【００２７】
１、１ｂ  折畳式傘
２  上ロクロ
３  中棒
４  露先
６  傘布
１０  下ロクロ
２０、２０ｂ  元親骨
３０、３０ｂ  受け骨
３４  受け骨先端
４０、４０ｂ  下連棹
６０、６０ｂ  ワイヤバネ
７０、７０ｂ  中親骨
７３  略クランク部
８０、８０ｂ  先親骨
【図１】
0005227606.tif 000002
【図２】
0005227606.tif 000003
【図３】
0005227606.tif 000004
【図４】
0005227606.tif 000005
【図５】
0005227606.tif 000006
【図６】
0005227606.tif 000007